(57)【要約】【課題】  厚さ寸法を活用して奥行やボリューム感のある立体的で豊かな意匠性を得ることができる木製集成材を提供することを課題とする。【解決手段】  木製集成材２の表面に凹凸形状の意匠４を施して凹凸意匠付き木製集成材１を構成する。木製集成材２の外形は曳き材３の繊維方向を長さＬとする略直方体であり最小厚さ寸法Ｔは９０ミリメートル以上とする。各曳き材３の断面寸法および形状は原材料となる樹木の多様な太さに対応して種々に設定することができる。凹凸形状の意匠４は略半円柱状を呈し恰も丸太のような形状を模したものであり、ログハウス風の外観を得るものである。【選択図】図１
0003204383.tif 000002
【実用新案登録請求の範囲】
【請求項１】
木製集成材の外表面に凹凸形状の意匠を施した凹凸意匠付き木製集成材。
【請求項２】
凹凸形状の意匠を施した木製集成材の外表面は、表面、裏面、側面の少なくともいずれかを含む請求項１に記載の凹凸意匠付き木製集成材。
【請求項３】
木製集成材の外形寸法は、最小厚さ寸法が９０ミリメートル以上である請求項１または請求項２のいずれかに記載の凹凸意匠付き木製集成材。
【考案の詳細な説明】
【技術分野】
【０００１】  本考案は、木材を集成した集成材の外表面に凹凸形状の意匠を施した凹凸意匠付き木製集成材に関するものである。
より詳しくは、主に建築材料として用いられる木製の集成材について、その外表面に凹凸形状の意匠を施すことにより、更に美観や風合いを向上させることができる木製集成材の構成に関するものである。
【背景技術】
【０００２】  建築材料として用いられる壁用の木材は、板目（いため）や柾目（まさめ）など木目（もくめ）が美しく、その美観や風合い、手触りの感触の優しさなどが好まれ多く用いられている。この壁用の木材は、耐力壁や間仕切壁などの壁構造物に取付けられる比較的薄い板材である。防音効果や断熱効果なども一定期待できるものではあるが、見た目や手触りを主目的とした装飾用であるため、厚さ寸法は低コスト化も考慮して比較的薄いものとなっている。このため平面的な意匠性に留まり、奥行やボリューム感のある立体的な美観や風合いは得ることができないものである。【０００３】  一方、建築材料として用いられる木製集成材は、複数の曳き材（ラミナ）を接着剤にて接着して集成したものであり、木質の風合いや感触の優しさなどが好まれ、近年その需要が増加している。無垢材では高価となったり製作不可能な大容積や広い面積の木製材料を比較的細い樹木からも安価に製造できることから、重宝な木製素材として多用されるようになってきている。また、厚板とした場合には表面が焼けても火が通らず炎が裏面に抜けることがないため、準耐火認定を得て大型建築や公共建築での外壁材として使用することも可能となっている。
曳き材の樹種としては、スギ、カラマツ、ヒノキ、アカマツなどのほかにも様々な樹木が使用される。木製集成材の製造に際しては、比較的細い樹木も利用できることもあり、森林資源の活用、特に国産材の利用促進や環境対策としての二酸化炭素の大量固定という観点からも注目されてきている。【０００４】  このような木製集成材が建築材料として多用されるようになってきているが、しかし、その利用形態については、確かに木材の持つ美観や風合い、手触りの感触の優しさなどを好ましく利用してはいるものの、依然として平面的な意匠性に留まっている。このため、その厚さ寸法を活かして更に豊かな美観や風合いを得る工夫が求められていた。
【考案の概要】
【考案が解決しようとする課題】
【０００５】  本考案は、上述したような現状に鑑みて成されたものであり、比較的薄い装飾用の板材に比して格段に厚さ寸法の大きい木製集成材について、その厚さ寸法を活かして奥行やボリューム感のある立体的で更に豊かな意匠性を得ることができる木製集成材を提供することを課題とするものである。
【課題を解決するための手段】
【０００６】  上記のような課題を解決するために、本考案の凹凸意匠付き木製集成材は、木製集成材の外表面に凹凸形状の意匠を施したものである。また、凹凸形状の意匠を施した木製集成材の外表面は、表面（おもてめん）、裏面（うらめん）、側面（そくめん）の少なくともいずれかを含むものである。更に、木製集成材の外形寸法は、厚さ寸法が９０ミリメートル以上とするものである。
尚、以上および以下の記述において、表面（おもてめん）とは長さ寸法×幅寸法の面積を有する一方側の外表面を意味し、裏面（うらめん）とは長さ寸法×幅寸法の面積を有する他方側の外表面を意味し、側面（そくめん）とは厚さ寸法×長さ寸法の面積または厚さ寸法×幅寸法の面積を有する各外表面をそれぞれ意味する用語として用いるものである。また、長さ寸法とは曳き材の繊維方向の寸法を意味し、幅寸法とは複数の曳き材の繊維方向に対し直角方向の合計寸法を意味し、厚さ寸法とは長さ寸法および幅寸法に対し直角方向の寸法をそれぞれ意味する用語として用いるものである。
【考案の効果】
【０００７】  本考案の凹凸意匠付き木製集成材は、このような構成としたことにより木製集成材の美観や風合いを向上させることができる。木製集成材の厚さ寸法を活かして凹凸形状の意匠を施すことにより、奥行やボリューム感のある立体的で更に豊かな意匠性を得ることができる。木材の持つ板目や柾目など木目の風合いや質感に加え、凹凸による起伏の視覚的印象が見る角度あるいは光の強弱や方向などによって変化し、木質の存在感を高めることができる。特に年輪が表われる凹凸形状の場合には、また更に美観や風合いを豊かに高めることができる。
【図面の簡単な説明】
【０００８】
【図１】  本考案の実施例を示す斜視図である。
【図２】  図１に示す実施例の断面図である。
【図３】  本考案の他の実施例を示す斜視図である。
【図４】  図３に示す実施例の断面図である。
【図５】  本考案の別の実施例を示す断面図である。
【図６】  本考案の別の実施例を示す斜視図である。
【図７】  本考案の別の実施例を示す斜視図である。
【考案を実施するための最良の形態】
【０００９】
【実施例】
【００１０】  本考案の実施例を以下、図面に基づいて説明する。尚、各図において共通する部分には同一の符号を付し重複する説明は省略する。
図１および図２は本考案の凹凸意匠付き木製集成材１を示すものであり、複数の曳き材３を揃えて接着剤にて接着して集成した木製集成材２の表面に凹凸形状の意匠４を施したものである。凹凸形状の意匠４は略半円柱状を呈し恰も丸太のような形状を模したものであり、ログハウス風の外観を得るものである。木製集成材２の外形は曳き材３の繊維方向を長さＬととする略直方体であり、最小厚さ寸法Ｔは９０ミリメートル以上となっている。各曳き材３の断面寸法および形状は原材料となる樹木の多様な太さに対応して種々に設定することができる。また、必要に応じて外表面に塗料を塗布したり被覆材を貼着することにより、木材の劣化を防止して耐久性を高めることができる。【００１１】  本考案の凹凸意匠付き木製集成材は、特に建築材料の外壁材として用いて好適である。一般に建築材料の壁材については、特に耐火性能が重要となる。木製集成材の耐火性能は厚さ寸法が大きい程高くなるが、建築物の居住性、意匠性、断熱性、防音性、更には機械的強度や他の建築材料との接続その他の条件や関係もあり、これらに総じて適する程度の厚さ寸法とする必要がある。本考案の凹凸意匠付き木製集成材は、凹凸の形状により厚さ寸法が部分的に異なるが、曳き材３の木材の性質、塗料や被覆材の種類や性能、それらの経年変化および上記の諸性能などを経験則に基づき勘案すると、最小の厚さ寸法Ｔは凡そ９０ミリメートル以上とすることが好適であるとの知見を得て、これを下限の目安として種々の設計に対応することが好ましい。【００１２】  図３および図４は本考案の他の実施例に係る凹凸意匠付き木製集成材５を示すものであり、先の実施例のように曳き材３ごとに凹凸形状の意匠を施すのではなく、複数の曳き材３に跨り凹凸形状の意匠を施したものである。凹凸形状の意匠６は略半楕円柱状を呈し、先の実施例よりも太い丸太のような形状を模したものであり、同じくログハウス風の外観を得るものである。本考案の凹凸意匠付き木製集成材は、このようにレリーフ（浮彫り）技法を用いて立体的なボリューム感のある意匠を施すことが可能であり好ましい。【００１３】  図５は本考案の別の実施例に係る凹凸意匠付き木製集成材７を示すものであり、木製集成材２の表面および側面に斜面を含む凹凸形状の意匠８を施したものである。
このような意匠を施すことにより、相当な厚みのある重厚な美観と風合いを得ることができる。【００１４】  図６は本考案の更に別の実施例に係る凹凸意匠付き木製集成材９を示すものであり、木製集成材２の表面に広い面積の窪みを複数含む凹凸形状の意匠１０を施したものである。
このような意匠を施すことにより、奥行のある荘重な存在感を得ることができる。【００１５】  尚、上記の各実施例においては凹凸意匠付き木製集成材の外形を略直方体としたが、これらの例に限らず様々な形状とすることも可能である。また、木製集成材の裏面にも凹凸形状の意匠を施すことも可能であり、建築物の内壁面に用いて美観や風合いを高めることも好ましい。
また、上記の各実施例は複数の曳き材３を一定方向に揃えて単層構造とした木製集成材２を例としたが、これらの例に限らず、図７に示すように複層構造とし、隣接する各層の曳き材１１の繊維方向を互いに直角など異なる方向とした木製集成材１２を用いて凹凸意匠付き木製集成材１３を構成することも可能である。このような構造とした場合には、機械的強度が高まると共に、側面の意匠性が更に高まり好ましいものとなる。【００１６】
【産業上の利用可能性】
【００１７】  本考案の凹凸意匠付き木製集成材は、以上の説明の如き内容のものであり、美観や風合いを向上させることができ、建築材料として用いて好適なものである。
木質の風合いや美観に加え、奥行やボリューム感のある立体的で豊かな意匠性を備え、更に必要十分な耐火性能も備えており、壁材に限らず床材や天井材あるいは装飾材として用いることも好ましいものである。
比較的細い樹木も利用でき森林資源の活用、特に国産材の利用促進や環境対策としての二酸化炭素の大量固定にも貢献して有益なものである。
【符号の説明】  １、５、７、９、１３    …  凹凸意匠付き木製集成材
２、１２                …  木製集成材
３、１１                …  曳き材
４、６、８、１０        …  凹凸意匠
Ｌ                      …  長さ寸法
Ｔ                      …  厚さ寸法
Ｗ                      …  幅寸法
【図１】
0003204383.tif 000003
【図２】
0003204383.tif 000004
【図３】
0003204383.tif 000005
【図４】
0003204383.tif 000006
【図５】
0003204383.tif 000007
【図６】
0003204383.tif 000008
【図７】
0003204383.tif 000009